(57)【特許請求の範囲】
【請求項１】
表示の観察側である前側の基板とこの前側基板に対向する後側基板の内面にそれぞれ電極が設けられ、これらの基板間に液晶層が設けられるとともに、前記液晶層よりも後側に、入射する光の前記基板の面と平行な面に対する正反射方向を中心としてその両側に予め定めた角度２θの広がり角で前記入射する光を拡散する指向性を持たせるための凹凸面を有する拡散反射膜が設けられており、前記拡散反射膜の凹凸面は、前記拡散反射膜に入射する光の前記正反射方向からの前記拡散光の広がり角２θの１／２の角度をθmax、前記凹凸のピッチをＰ、前記凹凸の各点の平面座標をｘ、前記凹凸の各点の高さ座標をｚとしたとき、
【数１】
0003845766.tif 000009
で表わされる凹凸形状に形成されていることを特徴とする液晶表示素子。
【請求項２】
拡散反射膜は、後側基板の内面に設けられていることを特徴とする請求項１に記載の液晶表示素子。
【請求項３】
拡散反射膜は、表面が凹凸面に形成された下地膜と、前記下地膜の凹凸面上に被着された金属膜とからなっていることを特徴とする請求項１乃至２のいずれかに記載の液晶表示素子。
【請求項４】
拡散反射膜の凹凸面は、同心円状に形成されていることを特徴とする請求項１乃至２のいずれかに記載の液晶表示素子。
【発明の詳細な説明】
【０００１】
【発明の属する技術分野】
この発明は、反射型の液晶表示素子に関するものである。
【０００２】
【従来の技術】
反射型の液晶表示素子は、表示の観察側である前側の基板とこの前側基板に対向する後側基板の内面にそれぞれ電極が設けられ、これらの基板間に液晶層が設けられるとともに、前記液晶層よりも後側、例えば前記後側基板の外面側に、アルミニウム膜等からなる反射膜が設けられた構成となっている。
【０００３】
この反射型液晶表示素子は、表示の観察側である前側から入射した光を前記反射膜により反射させて前側に出射するため、前記反射膜を、入射光を正反射させる鏡面反射膜としたものは、反射光の出射角度範囲が極端に狭く、したがって表示の視野角が狭い。
【０００４】
そのため、従来は、前記反射膜を、表面を粗面化した拡散反射膜とすることにより、入射光を拡散させて反射し、視野角を広くしている。
【０００５】
【発明が解決しようとする課題】
しかし、従来の反射型液晶表示素子は、前記拡散反射膜が入射光をランダムな方向に拡散させて反射するため、観察方向に出射する光の強度が低下し、表示が暗くなる。
【０００６】
この発明は、特定の角度範囲の方向に均一な強度分布の拡散反射光を出射し、視野角を充分に広くするとともに、その視野角の方向から、高輝度でしかも均一な明るさの表示を観察させることができる反射型の液晶表示素子を提供することを目的としたものである。
【０００７】
【課題を解決するための手段】
この発明の液晶表示素子は、表示の観察側である前側の基板とこの前側基板に対向する後側基板の内面にそれぞれ電極が設けられ、これらの基板間に液晶層が設けられるとともに、前記液晶層よりも後側に、入射する光の前記基板の面と平行な面に対する正反射方向を中心としてその両側に予め定めた角度２θの広がり角で前記入射する光を拡散する指向性を持たせるための凹凸面を有する拡散反射膜が設けられており、前記拡散反射膜の凹凸面は、前記拡散反射膜に入射する光の前記正反射方向からの前記拡散光の広がり角２θの１／２の角度をθmax、前記凹凸のピッチをＰ、前記凹凸の各点の平面座標をｘ、前記凹凸の各点の高さ座標をｚとしたとき、
【数２】
0003845766.tif 000002
で表わされる凹凸形状に形成されていることを特徴とするものである。
【０００８】
この液晶表示素子によれば、前記拡散反射膜が、入射光を、その正反射方向を中心にして一方の方向と他方の方向とにそれぞれθmaxの２倍の角度ずつ傾いた角度範囲（入射光の正反射方向を中心にして±２θmaxの角度範囲）の方向に均一に拡散させて反射するため、特定の角度範囲の方向に均一な強度分布の拡散反射光を出射し、視野角を充分に広くするとともに、その視野角の方向から、高輝度でしかも均一な明るさの表示を観察させることができる。
【００１２】
また、この発明の液晶表示素子において、前記拡散反射膜は、後側基板の内面に設けるのが望ましい。
【００１３】
さらに、前記拡散反射膜は、表面が凹凸面に形成された下地膜と、前記下地膜の凹凸面上に被着された金属膜とからなっているのが好ましい。
【００１４】
【発明の実施の形態】
図１はこの発明の一実施例を示す液晶表示素子の一部分の断面図である。
【００１５】
この液晶表示素子は、その使用環境の光である外光を利用して表示する反射型液晶表示素子であり、表示の観察側である前側の基板（例えばガラス基板）１とこの前側基板１に対向する後側基板（例えばガラス基板）２の内面にそれぞれＩＴＯ等の透明導電膜により形成された電極３，４が設けられ、これらの基板１，２間に液晶層１０が設けられるとともに、前記液晶層１０よりも後側、例えば後側基板２の内面に、後述する形状の凹凸面を有する指向性をもった拡散反射膜７が設けられ、前記前側基板１の前側に偏光板１１が配置された構成となっている。
【００１６】
なお、前記前側基板１と後側基板２は、その周縁部において図示しない枠状のシール材を介して接合されており、これらの基板１，２間の前記シール材で囲まれた領域に前記液晶層１０が設けられている。
【００１７】
この実施例の液晶表示素子は、単純マトリックス型のものであり、一方の基板、例えば前側基板１の内面に設けられた電極３は、行方向（図１において紙面に垂直な方向）に沿わせて互いに平行に形成された複数の走査電極、他方の基板である後側基板２の内面に設けられた電極４は、列方向（図１において紙面に平行な方向）に沿わせて互いに平行に形成された複数の信号電極である。
【００１８】
また、この液晶素子１は、前記複数の走査電極３と信号電極４とが互いに対向する複数の画素にそれぞれ対応する複数の色、例えば赤、緑、青のカラーフィルタ５Ｒ，５Ｇ，５Ｂを備えており、これらのカラーフィルタ５Ｒ，５Ｇ，５Ｂは、前記後側基板２の内面に設けられた前記拡散反射膜７の上に形成され、前記複数の信号電極４は、前記カラーフィルタ５Ｒ，５Ｇ，５Ｂの上に設けられている。
【００１９】
さらに、この液晶表示素子は、ＳＴＮ（スーパーツイステッドネマティック）型のものであり、前記液晶層１０の液晶分子は、前記一対の基板１，２の最も内面にそれぞれ設けられた配向膜８，９によりそれぞれの基板１，２の近傍における配向方向を規制され、両基板１，２間において１８０〜２７０度（好ましくは２４０〜２６０度）のツイスト角でツイスト配向しており、前記偏光板１１は、その透過軸を、前記液晶層１０の液晶分子が初期のツイスト配向にあるときと、前記液晶分子が前記電極３，４間に印加された電界により基板１，２面に対して略垂直に立ち上がり配向したときの表示のコントラストが最も高くなる方向に向けて設けられている。
【００２０】
また、前記偏光板１１と前側基板１の間には、前記液晶層１０の複屈折効果による透過光の帯色を補償するためと、表示のコントラストを上げるための位相板１２が配置されており、さらに、この位相板１２と前側基板１の間に、拡散層１３が設けられている。
【００２１】
次に、前記拡散反射膜７について説明すると、図２および図３は前記拡散反射膜７の平面図および一部分の拡大断面図である。
【００２２】
この拡散反射膜７は、凹凸面を有しており、その凹凸面は、前記拡散反射膜に入射する光の正反射方向からの拡散光の広がり角の１／２の角度をθmaxとしたとき、傾き角が＋θmaxと−θmaxの範囲で異なる複数の微小反射面を有し、これらの異なる傾き角をもった複数の微小反射面がそれぞれ実質的に等しい割合で存在する前記複数の微小反射面の集合体からなり、且つ、前記異なる傾き角をもった複数の微小反射面が連続して繋がった曲面に形成されている。
【００２３】
すなわち、前記拡散反射膜７の凹凸面は、前記拡散反射膜７に入射する光の正反射方向からの拡散光の広がり角の１／２の角度をθmax、前記凹凸のピッチをＰ、前記凹凸の各点の平面座標をｘ、前記凹凸の各点の高さ座標をｚとしたとき、
【数３】
0003845766.tif 000003
で表わされる凹凸形状に形成されている。
【００２４】
この実施例では、図１および図３に示したように、前記後側基板２の内面に、表面を前記拡散反射膜７の凹凸形状の条件式を満足する凹凸面に形成した下地膜６を設け、この下地膜６の凹凸面上にアルミニウム膜等の金属膜を蒸着またはスパッタにより被着させることにより、前記下地膜６と、この下地膜６の凹凸面上に被着された金属膜とにより拡散反射膜７を形成している。
【００２５】
前記下地膜６は、後側基板２上にフォトレジストをスピンコート法等により均一な膜厚に塗布し、そのフォトレジスト膜を、前記拡散反射膜７の凹凸のピッチＰに応じた周期で連続的に露光時間を変化させて露光処理した後に現像処理することにより形成されている。
【００２６】
なお、反射型液晶表示素子は、通常、その画面の法線に対して前記画面の上縁方向に３０°〜６０°程度傾いた方向を、使用環境のうちの最も明るい方向に向けて使用されるため、最も明るい外光の入射方向は、前記画面の法線に対して前記画面の上縁方向に３０°〜６０°程度傾いた方向である。
【００２７】
そのため、この実施例では、前記拡散反射膜７を、前記最も明るい外光の入射方向に対して直交する方向、つまり画面の左右方向に沿った横長の凸部と凹部が連続する凹凸形状に形成している。
【００２８】
図４の（ａ）は前記拡散反射膜７の凹凸面の断面形状を示し、図４の（ｂ）は前記凹凸面を構成する微小な部分である微小反射面の傾き角（後側基板２の内面に対する角度）の変化を示している。
【００２９】
前記拡散反射膜７の凹凸面の凹凸形状は、その凹凸の山部と谷部の形状が対称形で、且つ図４の（ｂ）に示すように、前記凹凸面を構成する微小反射面の傾き角の変化が±θmaxの範囲で直線的に変化する凹凸形状に形成されている。
【００３０】
なお、図４の（ａ）では前記拡散反射膜７の凹凸の高さを大きく誇張して示しているが、前記拡散反射膜７の凹凸面を構成する微小反射面の傾き角の最大値θmaxは、高さ座標が０．０のときに例えばθmax＝１０°、前記凹凸のピッチＰは、例えばＰ＝２０μｍ、前記凹凸の高さは、例えば前記凹凸の中心高さ（高さ座標ｘがｘ＝０）に対して±０．５μｍ以内の範囲である。
【００３１】
前記拡散反射膜７は、上記のように、前記拡散反射膜７に入射する光の正反射方向からの拡散光の広がり角の１／２の角度をθmaxとしたとき、傾き角が＋θmaxと−θmaxの範囲で異なる複数の微小反射面を有し、これらの異なる傾き角をもった微小反射面が実質的に等しい割合で存在する前記複数の微小反射面の集合体からなる凹凸面を有するものであれば、±θmaxの範囲で傾き角が異なる複数の平面状反射面が不規則に並んだ凹凸面状、または前記傾き角が異なる複数の平面状反射面が多角面状態に繋がった形状でも、さらには、前記複数の微小反射面が連続した曲面を形成するように繋がった形状でも良い。
【００３２】
前記拡散反射膜７の凹凸面の凹凸形状を前記曲面に形成するときは、この実施例のように、その断面形状を、上記［数３］の式で表わされる条件を満足する凹凸形状に形成すれば良く、このような凹凸形状の拡散反射膜７は、特定の角度範囲に指向性をもった拡散反射特性を有している。
【００３３】
すなわち、前記拡散反射膜７は、入射光を、その正反射方向を中心にして一方の方向と他方の方向とにそれぞれ前記凹凸面の微小反射面の傾き角の最大値θmaxの２倍の角度ずつ傾いた角度範囲（入射光の正反射方向を中心にして±２θmaxの角度範囲）の方向に均一に拡散させて反射する。
【００３４】
上述した拡散反射特性を有する拡散反射膜は、図５に示したように、入射光を、その正反射方向を中心にして一方の方向と他方の方向とにそれぞれ２θmaxずつ傾いた角度範囲の方向に反射する複数の反射面を備えていることが要求される。
【００３５】
図５において、Ａ，Ｂ，Ｃは、傾き角が異なる３つの反射面であり、実線で示した反射面Ａは、傾き角が０°の水平反射面、破線で示した反射面Ｂは、前記水平反射面Ａに対して図において左回り方向に予め定めた傾き角θmaxで傾斜する第１の傾斜反射面、二点鎖線で示した反射面Ｃは、前記水平反射面Ａに対して図において右回り方向に前記第１の傾斜反射面Ｂの傾き角と同じ傾き角θmaxで傾斜する第２の傾斜反射面である。
【００３６】
これらの反射面Ａ，Ｂ，Ｃに、前記水平反射面Ａの法線ｈに対して一方の方向に傾いた方向から一定の入射角、例えば３０°の入射角で入射した光の正反射方向を見ると、前記水平反射面Ａに入射した光は、図に実線矢印で示したように、前記法線ｈに対して他方の方向に傾いた方向に前記入射角と同じ反射角３０°で反射され、前記第１の傾斜反射面Ｂに入射した光は、図に破線矢印で示したように、前記水平反射面Ａに入射した光の反射方向に対して左回り方向に前記第１の傾斜反射面Ｂの傾き角θmaxの２倍の傾き角２θmaxで傾いた方向に反射され、前記第２の傾斜反射面Ｃに入射した光は、図に鎖線矢印で示したように、前記水平反射面Ａに入射した光の反射方向に対して右回り方向に前記第２の傾斜反射面Ｃの傾き角θmaxの２倍の傾き角２θmaxで傾いた方向に反射される。
【００３７】
したがって、反射膜に入射した光を、その正反射方向を中心にして一方の方向と他方の方向とにそれぞれ２θmaxずつ傾いた角度範囲の方向に拡散反射する指向性をもたせて反射するためには、前記反射膜を、傾き角が０°の水平面に対して±θmaxの範囲で異なる様々な傾き角の微小反射面を形成する必要がある。
【００３８】
さらに、反射膜に、入射光を前記角度範囲の方向に均一に拡散させて反射する特性をもたせるためには、前記反射膜中に、傾き角が前記±θmaxの範囲で異なる複数の微小反射面がそれぞれ実質的に等しい割合で存在させる必要がある。
【００３９】
上記拡散反射膜７は、水平面、つまり後側基板２の基板面に対して０°〜±θmaxの範囲で傾き角が異なる微小な反射面を多数集め、これらの微小反射面を滑らかな曲面となるように連続させた形状の凹凸面を有するものであり、その凹凸面を、図４（ｂ）に示すように微小反射面の傾き角が直線的に変化する曲面とすることにより、前記±θmaxの範囲で傾き角が異なる複数の微小反射面の出現頻度を図６のように均等にし、傾き角が±θmaxの範囲で異なる複数の微小反射面をそれぞれ実質的に等しい割合で存在させたものである。
【００４０】
この拡散反射膜７の凹凸面の凹凸形状は、図４（ｂ）に示した微小反射面の傾き角を平面座標ｘと高さ座標ｚについて微分方程式を立て、これを解くことにより、次の手順で求めることができる。
【００４１】
すなわち、図４（ｂ）の平面座標ｘが０≦ｘ≧２／４Ｐの範囲において、凹凸面の微小部分の傾き角θは、
【数４】
0003845766.tif 000004
で表わされる。
【００４２】
上記(1)，(2)式より、
【数５】
0003845766.tif 000005
上記(5)式で、上記(4)式を書き換えると、
【数６】
0003845766.tif 000006
となる。
【００４３】
上記(8)式から、平面座標ｘの範囲の条件を取り除いて凹凸面の凹凸のピッチＰを用いて一般化すると、前記拡散反射膜７の凹凸面の凹凸形状は、
【数７】
0003845766.tif 000007
で表される。
【００４４】
上記条件式を満足する凹凸形状の凹凸面を有する前記拡散反射膜７は、入射光を、その正反射方向を中心にして一方の方向と他方の方向とにそれぞれ前記凹凸面を構成する微小部分の傾き角の最大値θmaxの２倍の角度ずつ傾いた角度範囲（入射光の正反射方向を中心にして±２θmaxの角度範囲）の方向に均一に拡散させて反射する。
【００４５】
図７は、画面の法線に対して前記画面の上縁方向に傾いた方向から３０°の入射角で入射し、前記拡散反射膜７により拡散反射された光の反射角と相対反射率（入射光に対する反射光の比率）の関係を示しており、前記３０°の入射角で入射し、前記拡散反射膜７により拡散反射された光は、図のように、３０°＋２θmax〜３０°＋２θmaxの角度範囲の方向に、均一な相対反射率で反射される。
【００４６】
そのため、この液晶表示素子によれば、特定の角度範囲、つまり入射光の正反射方向を中心にして±２θmaxの角度範囲の方向に均一な強度分布の拡散反射光を出射し、視野角を充分に広くするとともに、その視野角の方向から、高輝度でしかも均一な明るさの表示を観察させることができる。
【００４７】
なお、この実施例の液晶表示素子は、後側基板２の内面に前記拡散反射膜７を設け、前側基板１の前側に偏光板１１を配置したものであるため、前側から前記偏光板１１を透過して直線偏光となって入射し、前記液晶層１０による液晶分子の配向状態に応じた複屈折作用を受けて前記拡散反射膜７により拡散反射され、前記液晶層１０を再び透過して前記偏光板１１に入射した光のうち、前記偏光板１１の吸収軸に沿った偏光成分の光が、この偏光板１１により吸収され、前記偏光板１１の透過軸に沿った偏光成分の光が、この偏光板１１を透過して前側に出射する。
【００４８】
この液晶表示素子は、前記拡散反射膜７を後側基板２の内面に設けたものであるため、光の入出射面である前記偏光板１１の前面から前記拡散反射膜７までの距離が小さく、したがって、前側から入射した光の光路と、前記拡散反射膜７により反射されて前側に出射する反射光の光路とのずれを小さくし、複数の画素のうちの１つの画素を通って入射した光の反射光が他の画素を通って出射することによる表示品質の低下を防ぐことができる。
【００４９】
しかも、この実施例では、前記偏光板１１と前側基板１の間に位相板１２を配置しているため、前記位相板１２により、液晶層１０の複屈折効果による透過光の帯色を補償するとともに表示のコントラストを上げことができる。
【００５０】
さらに、この実施例では、前記位相板１２と前側基板１の間に拡散層１３を設けているため、前記拡散反射膜７により拡散反射された光を前記拡散層１３によりさらに拡散させ、より均一な明るさの表示を得ることができるとともに、前記拡散反射膜７の凹凸形状が観察側（前側）から見えないようにし、良好な画質の画像を表示することができる。
【００５１】
また、この実施例では、前記後側基板２の内面に、表面が凹凸面に形成されたフォトレジストからなる下地膜６を設け、この下地膜６の上に金属膜を被着させることにより、前記下地膜６とその凹凸面上に被着された金属膜とからなる拡散反射膜７を形成しているため、上述した凹凸形状の凹凸面を有する拡散反射膜を容易に精度良く形成することができる。
【００５２】
なお、上記実施例では、前記拡散反射膜７の凹凸面を、前記最も明るい外光の入射方向に対して直交する方向、つまり画面の左右方向に沿った横長の凸部と凹部が連続する凹凸形状に形成しているが、前記拡散反射膜７は、図８に示したように、画面の左右方向と上下方向に沿った横長および縦長の凸部と凹部が連続する凹凸形状に形成してもよく、前記拡散反射膜７をこのような凹凸形状に形成することにより、視野角を画面の左右方向と上下方向の２方向に広くすることができるとともに、その視野角の方向から、高輝度でしかも均一な明るさの表示を観察させることができる。
【００５３】
さらに、前記拡散反射膜７の凹凸面は、図９および図１０に示したように、画面の中央部を中心とする同心円状または同心楕円状の凸部と凹部が連続する凹凸形状に形成してもよく、前記拡散反射膜７をこのような凹凸形状に形成することにより、視野角を画面の全周方向に広くすることができるとともに、その視野角の方向から、高輝度でしかも均一な明るさの表示を観察させることができる。
【００５４】
ただし、液晶表示素子の表示は、画面の法線に対して前記画面の上縁方向に傾いた方向から観察されることはほとんど無いため、視野角は、前記画面の法線に対して前記画面の下縁方向に傾いた方向に設定される。
【００５５】
また、前記拡散反射膜７は、図１１および図１２に示したように、画面の下縁の中央部を中心とする同心半円状または同心半楕円状の凸部と凹部が連続する凹凸形状に形成しても良く、前記拡散反射膜７の凹凸面をこのような凹凸形状に形成にしても、液晶表示素子の左右方向の拡散特性を等しくすることができる。
【００５６】
また、上記実施例の液晶表示素子は、後側基板２の内面に拡散反射膜７を設けたものであるが、拡散反射膜は、前記後側基板２の外面側に設けてもよい。
【００５７】
なお、拡散反射膜を前記後側基板２の外面側に設ける場合も、その拡散反射膜は、表面が拡散反射膜凹凸面に形成されたフォトレジストからなる下地膜と、この下地膜の凹凸面上に被着された金属膜とにより形成するのが好ましく、このようにすることにより、前記拡散反射膜を容易に精度良く形成することができる。
【００５８】
さらに、前記拡散反射膜７は、入射光を全て拡散反射するものに限らず、入射光を予め定めた反射率および透過率で反射および透過させる半透過反射膜としてもよく、前記拡散反射膜７を半透過反射膜とし、その後側に、後側からの入射光を直線偏光として入射させるための偏光板を配置することにより、液晶表示素子に、外光を利用する反射表示と、液晶表示素子の後側に配置された面光源からの照明光を利用する透過表示との両方の表示を行なわせることができる。
【００５９】
また、上記実施例の液晶表示素子はＳＴＮ型のものであるが、この発明は、液晶層１０の液晶分子を略９０°のツイスト角でツイスト配向させたＴＮ型、液晶分子を一方の方向に分子長軸が揃うようにホモジニアス配向させたホモジニアス配向型、強誘電性液晶または反強誘電性液晶を用いた液晶表示素子等にも適用することができ、さらに、単純マトリックス型に限らず、アクティブマトリックス型の液晶表示素子にも適用することができる。
【００６０】
【発明の効果】
この発明の液晶表示素子は、表示の観察側である前側の基板とこの前側基板に対向する後側基板の内面にそれぞれ電極が設けられ、これらの基板間に液晶層が設けられるとともに、前記液晶層よりも後側に、入射する光の前記基板の面と平行な面に対する正反射方向を中心としてその両側に予め定めた角度２θの広がり角で前記入射する光を拡散する指向性を持たせるための凹凸面を有する拡散反射膜が設けられており、前記拡散反射膜の凹凸面は、前記拡散反射膜に入射する光の前記正反射方向からの前記拡散光の広がり角２θの１／２の角度をθmax、前記凹凸のピッチをＰ、前記凹凸の各点の平面座標をｘ、前記凹凸の各点の高さ座標をｚとしたとき、
【数８】
0003845766.tif 000008
で表わされる凹凸形状に形成されていることを特徴とするものであるから、特定の角度範囲の方向に均一な強度分布の拡散反射光を出射し、視野角を充分に広くするとともに、その視野角の方向から、高輝度でしかも均一な明るさの表示を観察させることができる。
【００６２】
この発明の液晶表示素子において、前記拡散反射膜は、後側基板の内面に設けるのが望ましく、このようにすることにより、前側から入射した光の光路と、前記拡散反射膜により反射されて前側に出射する反射光の光路とのずれを小さくし、複数の画素のうちの１つの画素を通って入射した光の反射光が他の画素を通って出射することによる表示品質の低下を防ぐことができる。
【００６３】
また、前記拡散反射膜は、表面が凹凸面に形成された下地膜と、前記下地膜の凹凸面上に被着された金属膜とからなっているのが好ましく、このようにすることにより、前記凹凸形状の凹凸面を有する拡散反射膜を容易に精度良く形成することができる。
【図面の簡単な説明】
【図１】この発明の一実施例を示す液晶表示素子の一部分の断面図。
【図２】拡散反射膜の平面図。
【図３】拡散反射膜の一部分の拡大断面図。
【図４】拡散反射膜に形成された凹凸面の凹凸形状と、その凹凸面を構成する微小部分の傾き角の変化を示す図。
【図５】反射膜に、入射光をその正反射方向を中心にして一方の方向と他方の方向とにそれぞれ２θmaxずつ傾いた角度範囲の方向に拡散反射する指向性をもつ反射面の条件を示す図。
【図６】図４に示した拡散反射膜の凹凸面を形成する傾き角が異なる複数の微小反射面の出現頻度を示す図。
【図７】拡散反射膜により拡散反射された光の反射角と相対反射率の関係を示す拡散反射特性図。
【図８】拡散反射膜の他の凹凸形状を示す平面図。
【図９】拡散反射膜の他の凹凸形状を示す平面図。
【図１０】拡散反射膜の他の凹凸形状を示す平面図。
【図１１】拡散反射膜の他の凹凸形状を示す平面図。
【図１２】拡散反射膜の他の凹凸形状を示す平面図。
【符号の説明】
１，２…基板
３，４…電極
５Ｒ，５Ｇ，５Ｂ…カラーフィルタ
６…下地膜
７…拡散反射膜
８，９…配向膜
１０…液晶層
１１…偏光板
１２…位相板
１３…拡散層
【図１】
0003845766.tif 000010
【図２】
0003845766.tif 000011
【図３】
0003845766.tif 000012
【図４】
0003845766.tif 000013
【図５】
0003845766.tif 000014
【図６】
0003845766.tif 000015
【図７】
0003845766.tif 000016
【図８】
0003845766.tif 000017
【図９】
0003845766.tif 000018
【図１０】
0003845766.tif 000019
【図１１】
0003845766.tif 000020
【図１２】
0003845766.tif 000021